(57)【要約】【課題】  使用時には使用対象物に表面が接触される材料を収納した容器に関し、取り扱いの簡便性や携帯性を向上し、製造コストを低減することを目的とする。【解決手段】  容器１０では、口紅３８を保持する保持体３０に、伸縮部２３を備えた筒体２０が、口紅３８および保持体３０を取り囲む形態で装着されている。この伸縮部２３を伸縮させることにより、筒体２０は、口紅３８が筒体２０内に収納される第１の位置と口紅３８が筒体２０外に露出される第２の位置との間で、保持体３０に沿って摺動可能となる。【選択図】  図１
2005066137.tif 000002
【特許請求の範囲】
【請求項１】
使用時には使用対象物に表面が接触される材料を収納した容器であって、
一端に、所定量以下の前記材料を保持した棒状の保持体と、
該保持体から離脱できないように該保持体に外嵌された筒体と、
該筒体の少なくとも一部を、該筒体内に前記材料が収納された第１の位置から前記材料が該筒体外に露出される第２の位置へ、少なくとも１回、前記保持体に沿って移動する移動手段と
を備えた容器。
【請求項２】
前記移動した筒体を前記第２の位置において停止する停止手段を備えた請求項１に記載の容器。
【請求項３】
請求項１または２に記載の容器であって、
前記筒体は、前記保持体と対向する範囲に、伸縮可能な伸縮部を有し、
前記移動手段は、該伸縮部の伸縮により、前記筒体の少なくとも一部の移動を可能とする手段である
容器。
【請求項４】
請求項３に記載の容器であって、
前記伸縮部は、可撓性材料を用いて、蛇腹形状に形成されており、
前記停止手段は、縮んだ伸縮部が座屈することにより、前記筒体を停止する手段である
容器。
【請求項５】
前記保持体は、前記伸縮部に対向する範囲に、前記座屈した伸縮部が収納される凹部を有する請求項４に記載の容器。
【請求項６】
請求項１または２に記載の容器であって、
前記移動手段は、前記筒体の全体を、前記第１の位置から前記第２の位置へ移動する手段であり、
前記停止手段は、前記移動した筒体を前記保持体に係止することにより、前記筒体を停止する手段である
容器。
【請求項７】
前記筒体が第１の位置から第２の位置へ移動することにより、前記筒体が前記保持体よりも移動方向側に突出する請求項６に記載の容器。
【請求項８】
前記保持体からの前記材料の脱落を防止する脱落防止手段を備えた請求項１ないし７のいずれかに記載の容器。
【請求項９】
前記保持体および前記筒体が合成樹脂で形成された請求項１ないし８のいずれかに記載の容器。
【請求項１０】
前記筒体が前記第１の位置にあるときに、該筒体の前記材料側に位置する端部を覆うカバーを備えた請求項１ないし９のいずれかに記載の容器。
【請求項１１】
請求項１ないし１０のいずれかに記載の容器であって、
前記保持体は、一端，他端に、それぞれ、第１の前記材料，第２の前記材料を保持しており、
前記筒体は、該保持体および第１の材料，第２の材料を取り囲む形態で装着されており、
前記移動手段は、該筒体の少なくとも一部を、該筒体内に前記第１の材料および前記第２の材料が収納された収納位置から前記第１の材料が該筒体外に露出される第１露出位置へ、および、前記収納位置から前記第２の材料が該筒体外に露出される第２露出位置へ、前記保持体に沿って移動する手段である
容器。
【請求項１２】
使用時には使用対象物に表面が接触される材料を収納した容器を製造する方法であって、
棒状の保持体に、該保持体から離脱できないように、筒体を外嵌する工程と、
該筒体を、前記保持体の一端が該筒体内に収納された第１の位置から前記保持体の一端が該筒体外に露出される第２の位置へ、前記保持体に沿って移動する工程と、
該筒体が第２の位置に移動された保持体の一端に、所定量以下の前記材料を装着する工程と、
該筒体を、前記第２の位置から前記第１の位置へ、前記保持体に沿って移動する工程と、
を備えた容器の製造方法。
【発明の詳細な説明】
【技術分野】
【０００１】
本発明は、使用時には使用対象物に表面が接触される材料を収納した容器、および、こうした容器の製造方法に関するものである。
【背景技術】
【０００２】
上記のような材料は、例えば、化粧品の分野において、唇の表面に塗られる口紅や眉の表面に塗られる眉墨、まつ毛の際の瞼の表面に描かれるアイライン等の固形化粧料として、しばしば用いられている。このような固形化粧料を備えた化粧品には、予めパレットに収納された化粧料を筆に付けて唇等の表面に塗るタイプのもの（パレットタイプ）のほか、予め容器に収納された棒状の化粧料を直接に唇等の表面に塗るタイプのもの（スティックタイプ）がある。スティックタイプの化粧品は、パレットタイプと比べて、唇等に簡単に塗ることができ、携帯性にも優れているため、広く使用されている。
【０００３】
このようなスティックタイプの化粧品に関し、従来、試供用の化粧品として、２〜３回分の使用量の化粧料を容器本体に収容したサンプル容器が提案されていた（例えば、特許文献１を参照）。
【０００４】
【特許文献１】実開平５−９４１１号公報
【発明の開示】
【発明が解決しようとする課題】
【０００５】
しかしながら、上記した従来のサンプル容器では、容器本体に収容されている化粧料を覆う蓋体が設けられているため、使用者は、化粧の前後においていちいち蓋体の脱着を行ない、かつ、蓋体を失くさないように管理しなければならず、取り扱いが煩雑となるという課題があった。また、上記した従来のサンプル容器では、容器本体に蓋体が冠着された状態において蓋体と容器本体との接触面積が小さいため、サンプル容器の携帯中に蓋体が容器本体から脱落して、周囲の携帯品への化粧料の付着や化粧料の折損といった事態が生じるおそれがあり、携帯性が十分とは言えなかった。一方、携帯性を考慮して上記の接触面積を大きくすると、蓋体の脱着がしにくくなるという他の問題を招致してしまう。上記した従来のサンプル容器のように２〜３回分しか使用できない場合には、容器全体の製造コストを極力低く抑える必要があるが、上記した従来のサンプル容器では、容器本体への冠着および内嵌が可能な形状の蓋体を別途製造しなければならず、コストを低減するにも限界があった。
【０００６】
そこで、本発明は、上記の課題の少なくとも一つを解決し、使用時には使用対象物に表面が接触される材料を収納した容器に関し、取り扱いの簡便性や携帯性を向上し、製造コストを低減することを目的として、以下の構成を採った。
【課題を解決するための手段】
【０００７】
本発明の容器は、
使用時には使用対象物に表面が接触される材料を収納した容器であって、
一端に、所定量以下の前記材料を保持した棒状の保持体と、
該保持体から離脱できないように該保持体に外嵌された筒体と、
該筒体の少なくとも一部を、該筒体内に前記材料が収納された第１の位置から前記材料が該筒体外に露出される第２の位置へ、少なくとも１回、前記保持体に沿って移動する移動手段と
を備えたことを要旨としている。
【０００８】
使用時には使用対象物に表面が接触される材料としては、口紅，リップ，眉墨，アイライン，マニキュア等の化粧料や対象物への塗布後の化粧料を消去するための消去材料、塗り薬等の薬剤、クレヨン，鉛筆，シャープペンシル，鉛筆やシャープペンシルの芯等の筆記材料や対象物に描かれた筆記材料を消去するための消去材料（例えば、消しゴム），糊等の接着材料、棒付きの食料（例えば、飴）などを考えることができ、固形材料のみならず液状の材料を含む。上記材料が化粧料やその消去材料，食料，薬剤の場合には、顔や爪，舌，患部等の人体の一部が「使用対象物」に相当し、上記材料が筆記材料やその消去材料，接着材料の場合には紙等が「使用対象物」に相当する。
【０００９】
本発明の容器では、上記材料を保持する保持体に、該保持体から離脱できないように筒体が外嵌されている。移動手段は、この筒体の少なくとも一部を、筒体内に材料が収納された第１の位置から材料が筒体外に露出される第２の位置へ、少なくとも１回、保持体に沿って移動する。このため、使用者は、筒体の少なくとも一部を第１の位置から第２の位置にずらすだけで材料を使用することが可能となり、材料の使用後においては、筒体の少なくとも一部を第２の位置から第１の位置にずらすだけで、周囲への材料の付着や材料の折損を防止することが可能となる。従って、取り扱いの簡便性や携帯性に優れた容器を提供することができる。
【００１０】
移動した筒体を第２の位置において停止する停止手段を備えることも、材料の継続的な使用が容易となる点で望ましい。
【００１１】
筒体が、保持体と対向する範囲に、伸縮可能な伸縮部を有し、該伸縮部の伸縮により、前記筒体の少なくとも一部の移動を可能とすることも好適である。こうすれば、材料が筒体内に収納される状態と材料が筒体外に露出される状態との切り換えを、簡単に行なうことができる。
【００１２】
伸縮部を、可撓性材料を用いて、蛇腹形状に形成した場合には、縮んだ伸縮部が座屈することにより、筒体を第２の位置において停止する構成を採ることも可能である。こうすれば、筒体や保持体に特別な係止手段を設けることなく筒体を第２の位置において停止することが可能となる。従って、容器の製造が容易となり、製造コストを低減することができる。このような構成において、保持体が、伸縮部に対向する範囲に、座屈した伸縮部が収納される凹部を有することも、伸縮部の伸縮がよりスムーズとなる点で好ましい。
【００１３】
移動手段を、筒体の全体を、第１の位置から第２の位置へ移動する手段とし、停止手段を、移動した筒体を保持体に係止することにより、筒体を第２の位置において停止する手段としてもよい。こうすれば、材料が筒体外に露出される状態をより確実に維持することができる。このような構成において、筒体が第１の位置から第２の位置に移動することにより、筒体が保持体よりも移動方向側に突出することも好ましい。こうすれば、使用時における容器の全長が非使用時よりも長くなるので、容器の使い易さを更に高めることができる。
【００１４】
保持体からの材料の脱落を防止する脱落防止手段を備えることも、容器の信頼性を高めることができる点で望ましい。
【００１５】
保持体および筒体を合成樹脂で形成すれば、材料費・加工費が少なくてすむので、製造コストを低減することができる。
【００１６】
筒体が第１の位置にあるときに、材料側に位置する筒体の端部を覆うカバーを備える構成としてもよい。こうすれば、材料への塵埃等の付着を防止することができる。
【００１７】
上記の構成において、保持体が、一端，他端、それぞれ、第１の前記材料，第２の前記材料を保持しており、筒体が、該保持体および第１の材料，第２の材料を取り囲む形態で装着されている場合には、移動手段を、該筒体の少なくとも一部を、該筒体内に第１の材料および第２の材料が収納された収納位置から第１の材料が該筒体外に露出される第１露出位置へ、および、収納位置から第２の材料が該筒体外に露出される第２露出位置へ、前記保持体に沿って移動する手段とすることも好適である。こうすれば、２個の材料を備えた容器を、取り扱いの簡便性や携帯性に優れた形態で提供することが可能となり、容器の活用範囲を拡大することができる。例えば、第１の材料，第２の材料を互いに異なる色の着色体とした場合には、１の容器を用いて２通りの着色を行なうことができる。
【００１８】
本発明の容器の製造方法は、
使用時には使用対象物に表面が接触される材料を収納した容器を製造する方法であって、
棒状の保持体に、該保持体から離脱できないように、筒体を外嵌する工程と、
該筒体を、前記保持体の一端が該筒体内に収納された第１の位置から前記保持体の一端が該筒体外に露出される第２の位置へ、前記保持体に沿って移動する工程と、
該筒体が第２の位置に移動された保持体の一端に、所定量以下の前記材料を、該筒体の内径よりも小さな外形で、装着する工程と、
該筒体を、前記第２の位置から前記第１の位置へ、前記保持体に沿って移動する工程と、
を備えたことを要旨としている。
【００１９】
本発明の容器の製造方法によれば、棒状の保持体に、該保持体から離脱できないように、筒体を外嵌した後に、該筒体を、前記保持体の一端が該筒体内に収納された第１の位置から前記保持体の一端が該筒体外に露出される第２の位置へ、前記保持体に沿って移動する。こうして筒体が第２の位置に移動された保持体の一端に、所定量以下の材料を、該筒体の内径よりも小さな外形で装着した後、筒体を、第２の位置から第１の位置へ、前記保持体に沿って移動する。従って、所定量以下の材料が、非使用時には筒体内に収納され、使用時には筒体外に露出される容器を、材料と筒体との干渉を回避しつつ、効率良く製造することができる。
【発明を実施するための最良の形態】
【００２０】
（１）実施例：
以下、本発明の実施の形態を実施例に基づき説明する。図１は本実施例の容器１０の概略構成を示す説明図であり、図２は図１に示す容器１０を２−２線に沿って切断したときの矢視断面形状を示す説明図である。この容器１０は、固体化粧料としての口紅３８を繰り出し可能に収納したスティックタイプの容器である。容器１０から繰り出された口紅３８を所定の対象物としての唇の表面に接した状態で移動させることにより、唇の表面に口紅３８が塗布され、唇の表面は口紅３８の色に着色される。
【００２１】
容器１０は、通常の口紅収納容器よりも、サイズが小さく、収納される口紅３８の量が少なくされた、いわゆる使い捨てタイプの容器である。本実施例では、容器１０の全長Ｌ，全幅Ｗを、それぞれ、約６５ｍｍ，約７ｍｍとし、１つの容器１０に収納される口紅３８の量を、唇に２〜３回程度だけ塗れる量とし、口紅３８の残量が少なくなった場合には容器１０を廃棄することとしている。こうした少量の口紅３８が収納された小サイズの使い捨て容器１０は、特に、口紅のメーカーが使用者に提供するサンプル品や、使用者の携帯用の口紅に適している。なお、口紅３８の量は、唇に１回だけ塗れる量としてもよく、また、口紅３８の量を唇に４回以上塗れる量とし、口紅３８の残量が少なくなった場合に容器１０ごと廃棄する構成としても差し支えない。
【００２２】
図示するように、容器１０は、その先端部３１に口紅３８を保持する略円柱棒状の保持体３０と、保持体３０が挿入される略円筒形状の筒体２０とを備える。なお、本実施例では、保持体３０および筒体２０の成形材料として、可撓性を有する合成樹脂を用いている。
【００２３】
保持体３０は、その両端部である先端部３１と後端部３５との間に、第１胴部３２、凹部３３、第２胴部３４をこの順に備える。第１胴部３２、第２胴部３４および後端部３５は、ほぼ同じ外径で形成されており、先端部３１および凹部３３の外径は、第１胴部３２、第２胴部３４および後端部３５よりも縮径されている。また、図１に示すように、第２胴部３４には、第２胴部３４よりも僅かに外側に突出するリブ３６が形成されている。保持体３０の外周面３０Ａは、先端部３１に保持された口紅３８，第１胴部３２、凹部３３、第２胴部３４およびリブ３６によって形成されている。
【００２４】
筒体２０は、その両端部である先端部２１と後端部２５との間に、被覆部２２、伸縮部２３、基部２４をこの順に備える。この被覆部２２、伸縮部２３、基部２４によって筒体２０の内周面２０Ｂが形成されている。被覆部２２，基部２４，後端部２５の内径は、それぞれ、第１胴部３２、第２胴部３４および後端部３５の外径と、ほぼ同じ径で形成されている。
【００２５】
筒体２０は、リブ３６の作用により、保持体３０に外嵌されている。なお、図２や後述する図３〜図５，図１０では、説明の便宜上、リブ３６の図示を省略している。筒体２０の先端部２１，後端部２５における内周面２０Ｂには、それぞれ、リブ２１ｒ，リブ２５ｒが形成されている。保持体３０から筒体２０を抜こうとすると、リブ２１ｒもしくはリブ２５ｒが第１胴部３２もしくは後端部３５に干渉する。これにより、筒体２０は、保持体３０から離脱できないように構成されている。
【００２６】
伸縮部２３は蛇腹形状に形成されている。このため、伸縮部２３の長さや内径は伸縮部２３の伸縮度合いによって可変する。即ち、蛇腹形状の部分を伸ばすことによって伸縮部２３が伸びた状態となり、これにより、伸縮部２３の長さが長くなり、伸縮部２３の内径が大きくなる。一方、蛇腹形状の部分を折り畳むと、折り畳んだ部分が座屈するため、伸縮部２３は縮んだ状態のままとなる。これにより、伸縮部２３の長さが短くなり、伸縮部２３の内径が小さくなる。なお、図１（Ａ）および図２では、伸縮部２３が最も伸びているときの筒体２０を表わしている。
【００２７】
図１（Ａ）および図２では、筒体２０は、その伸縮部２３が最も伸びた状態で、保持体３０に装着されている。この状態において、先端部３１に保持された口紅３８の表面を含む保持体３０の外周面３０Ａは筒体２０の内周面２０Ｂによって取り囲まれており、筒体２０内に口紅３８が収納されている。こうした筒体２０内に口紅３８が収納されるときの筒体２０の位置のことを、以下、第１の位置という。筒体２０が第１の位置にあるときには、図２に示すように、筒体２０の内周面２０Ｂは、保持体３０の外周面３０Ａを構成する各部と以下のような関係にある。
（ａ）基部２４における内周面２０Ｂは、第２胴部３４における外周面３０Ａと、僅かな間隔（リブ３６による基部２４の押圧によって形成されたもの）をおいて対向している。
（ｂ）伸縮部２３における内周面２０Ｂは、凹部３３における外周面３０Ａと、僅かな間隔Ｇ１をおいて対向している。
（ｃ）被覆部２２における内周面２０Ｂは、第１胴部３２における外周面３０Ａと、僅かな間隔（リブ３６による基部２４の押圧によって形成されたもの）をおいて対向すると共に、口紅３８と接しないように、口紅３８の表面と、所定の間隔Ｃ１をおいて対向している。
【００２８】
図２に示す容器１０において、筒体２０の被覆部２２を、保持体３０に沿って、図２に示す白抜きの矢印方向に摺動させると、図３に示すように、筒体２０の伸縮部２３が縮んだ状態となり、筒体２０外に口紅３８が露出される。こうした筒体２０外に口紅３８が露出されるときの筒体２０の位置のことを、以下、第２の位置という。
【００２９】
筒体２０が第２の位置に移動する際、先端部２１は口紅３８の周囲を通過する。この際、先端部２１のリブ２１ｒと口紅３８との間には、所定の間隔Ｃ１ｔが確保されている。これにより、筒体２０の移動に伴って筒体２０が口紅３８に接してしまうことが防止される。
【００３０】
筒体２０が第２の位置にあるときには、図３に示すように、筒体２０の内周面２０Ｂは、保持体３０の外周面３０Ａを構成する各部と以下のような関係にある。
（ｄ）被覆部２２，基部２４における内周面２０Ｂは、それぞれ、第１胴部３２，第２胴部３４における外周面３０Ａと、僅かな間隔（リブ３６による基部２４の押圧によって形成されたもの）をおいて対向する。
（ｅ）伸縮部２３における内周面２０Ｂは、伸縮部２３の内径が小さくなることによって、凹部３３における外周面３０Ａに近付く。伸縮部２３は、座屈によって縮んだままの状態となり、元の方向（図３に黒色の太矢印で示す方向）に復帰しない。これにより、摺動後の筒体２０が第２の位置において停止される。
【００３１】
なお、図３に示す容器１０において、筒体２０の被覆部２２を、保持体３０に沿って、図３に示す白抜きの矢印方向に摺動させれば、伸縮部２３の座屈状態が解除されるので、筒体２０を第２の位置から第１の位置に戻すことができる。
【００３２】
このような容器１０の製造過程を図４に示す。まず、筒体２０および保持体３０を樹脂成形する。保持体３０の先端部３１は、口紅３８の塗り易さを考慮して、滑らかに尖った形状（第１胴部３２に近づくに連れて徐々に拡径された形状）に成形される。第１胴部３２に近づくに連れて徐々に拡径された先端部３１は、図４（Ｂ）に示すように、第１胴部３２に至る手前で縮径されている。この縮径された部分を絞り部３１Ａという。
【００３３】
こうして筒体２０および保持体３０を成形した後、筒体２０に保持体３０を以下の要領で装着し、容器本体１２を形成する。まず、保持体３０の先端部３１を後端部２５側からリブ２５ｒの弾性に抗して筒体２０内に挿入する。保持体３０は、筒体２０の内周面２０Ｂに沿って筒体２０内に進入していき、やがて、リブ３６が後端部２５ないしリブ２５ｒに干渉する状態となる。この状態において、保持体３０の後端部３５を挿入方向に強く押圧すると、リブ３６に押された後端部２５がその弾性によって僅かに拡径し、リブ３６が筒体２０内に進入する。更に、保持体３０の後端部３５を、後端部３５と後端部２５とがほぼ同じ平面に位置するまで押圧すると、図１（Ａ）に示したように、リブ３６が筒体２０の基部２４を押圧した状態となる。こうしたリブ３６による基部２４の押圧により、保持体３０の外周面３０Ａに筒体２０が装着される。勿論、これ以外の手法により、例えば、保持体３０の外周面３０Ａと筒体２０の内周面２０Ｂとを熱溶着することにより、保持体３０に筒体２０を装着することも可能である。
【００３４】
次に、図４（Ａ）に示すように、容器本体１２における伸縮部２３を縮ませて筒体２０を第２の位置に移動させた後、容器本体１２をプレート８５上に配置固定する。次に、図４（Ｃ）に示すように、多数の容器本体１２が配置固定されたプレート８５を、口紅３８を付着させる装置である付着装置８０の台８１にセットする。プレート８５は、容器本体１２の先端部３１が化粧料収納容器８２（顔料等の口紅材料がペースト状態で収納された容器）に向くように、セットされる。
【００３５】
次に、エアシリンダ８７を正方向に駆動させて、台８１を、絞り部３１Ａを含む先端部３１に口紅材料が付着する位置まで降下する。口紅材料が先端部３１に付着したら、エアシリンダ８７を反対方向に駆動させて台８１をもとの位置に戻し、台８１からプレート８５を取り外す。先端部３１に付着した口紅材料がある程度硬化したら、プレート８５から容器本体１２を取り外す。これにより、図４（Ｄ）に示すように、固体化粧料としての口紅３８が保持された容器１０が製造される。図４（Ｄ）に示す容器１０は、図３に示したと同様の断面形状を有する。図３に示したように、先端部３１に付着した口紅３８は、縮径された絞り部３１Ａに回り込んだ状態で硬化する。
【００３６】
この後、容器１０における伸縮部２３を伸ばして筒体２０を第１の位置に移動させる。これにより、保持体３０の先端部３１に付着した口紅３８が被覆部２２に取り囲まれ、図４（Ｅ）に示すような容器１０が完成する。
【００３７】
以上のように構成された本実施例の容器１０によれば、少なくとも、以下（イ）〜（ヘ）に列記したような作用効果を奏する。
【００３８】
（イ）本実施例の容器１０では、口紅３８を保持する保持体３０に、伸縮部２３を備えた筒体２０が、リブ２１ｒ，２５ｒ，３６の作用により、保持体３０から離脱できないように保持体３０に外嵌されており、伸縮部２３の伸縮によって、筒体２０の被覆部２２を、口紅３８が筒体２０内に収納される第１の位置と口紅３８が筒体２０外に露出される第２の位置との間で、保持体３０に沿って摺動可能とする。このため、使用者は、筒体２０の被覆部２２を第１の位置から第２の位置にずらすだけで口紅３８を使用することが可能となり、口紅３８の使用後においては、筒体２０の被覆部２２を第２の位置から第１の位置にずらすだけで、周囲への口紅３８の付着や口紅３８の折損を防止することが可能となる。従って、取り扱いの簡便性や携帯性に優れた口紅収納容器を提供することができる。本実施例の容器１０は、人体の一部である唇に使用するものであるが、こうした容器を使い捨てとすることで、口紅収納容器の清潔性を確保することができる。
【００３９】
（ロ）本実施例の容器１０では、第２の位置に摺動した筒体２０が第２の位置において停止されるので、筒体２０外に露出した口紅３８の継続的な使用を円滑に行なうことができる。
【００４０】
（ハ）本実施例の容器１０では、保持体３０および筒体２０を合成樹脂で形成しているので、材料費・加工費が少なくてすみ、製造コストを低減することができる。
【００４１】
（ニ）本実施例の容器１０では、絞り部３１Ａを備えた先端部３１に口紅３８が付着されることにより、保持体３０からの口紅３８の脱落が防止されるので、口紅収納容器の信頼性を高めることができる。
【００４２】
（ホ）本実施例の容器１０では、保持体３０と対向する範囲に位置する伸縮部２３の伸縮により筒体２０の被覆部２２の摺動が実現される。従って、口紅３８が筒体２０内に収納される状態と口紅３８が筒体２０外に露出される状態との切り換えを簡単に行なうことができる。
【００４３】
（ヘ）本実施例の容器１０では、伸縮部２３を、可撓性材料を用いて、蛇腹形状に形成し、この伸縮部２３が縮んだときに座屈することにより、筒体２０を第２の位置において固定する。従って、筒体２０や保持体３０に特別な係止手段を設けることなく筒体２０を第２の位置において固定することが可能となる。従って、容器の製造が容易となり、製造コストを低減することができる。また、保持体３０は、伸縮部２３に対向する範囲に、縮径された伸縮部が収納される凹部３３を備えるので、伸縮部２３の伸縮をよりスムーズに行なうことができる。また、蛇腹形状に形成された伸縮部２３は、持ち指に対する滑り止めとしても作用するので、使用者は、伸縮部２３を指で持つことにより、口紅３８をより一層正確に塗ることができる。また、伸縮部２３が縮むことによって伸縮部２３の外周が拡径されるので、伸縮部２３を指で持ち易くなり、塗り易さを高めることができる。
【００４４】
（２）変形例：
次に、上記実施例の変形例について説明する。以下の各変形例の説明においては、上記実施例と共通の各部につき、符号の十の位以下を上記実施例と同じ数字ないし英字を用いて表わし、その説明を省略する。
【００４５】
上記実施例では、伸縮部２３に対向する範囲の保持体３０に凹部３３を形成したが、このような凹部３３を形成しない構成を採ってもよい。こうした構成例を第１変形例として図５に示した。この図５（Ａ），図５（Ｂ）は、それぞれ、図２，図３に対応する断面を表わしている。第１変形例としての容器１１０では、保持体１３０が、その両端部である先端部１３１と後端部１３５との間に、ほぼ同じ外径で形成された胴部１３２を備える。保持体１３０の外周面１３０Ａは、先端部１３１に保持された口紅１３８，胴部１３２および図示しないリブによって形成されている。
【００４６】
伸縮部１２３は、上記実施例と同様に蛇腹形状に形成されているが、その内径，外径は上記実施例よりも拡径されている。このため、図５（Ａ）に示すように、伸縮部１２３が伸びて筒体１２０が第１の位置にあるときには、伸縮部１２３における内周面１２０Ｂは、胴部１３２における外周面１３０Ａと、僅かな間隔Ｇ２をおいて対向している。
【００４７】
筒体１２０の被覆部１２２を、保持体１３０に沿って、図５（Ａ）に示す白抜きの矢印方向に摺動させると、図５（Ｂ）に示すように、筒体１２０の伸縮部１２３が縮んだ状態となり、この結果、筒体１２０が第２の位置に移動し、伸縮部１２３の座屈により、筒体１２０が停止される。従って、筒体１２０外に露出した口紅１３８の継続的な使用を円滑に行なうことができる。
【００４８】
なお、上記実施例ないし変形例では、伸縮部２３の座屈によって筒体２０を第２の位置において停止させたが、図６に示す第２変形例のように、縮んだ伸縮部８２３と保持体８３０との間に生じる摩擦を利用して、筒体８２０を第２の位置において停止させることも可能である。即ち、図６に示すように、伸縮部８２３が縮むと、伸縮部８２３における内周面８２０Ｂは、伸縮部８２３の内径が小さくなることによって、凹部８３３における外周面８３０Ａに当接し、凹部８３３における外周面８３０Ａを保持体８３０の軸心方向（図６に黒色の太矢印で示す方向）に押圧する。この後、伸縮部８２３は、その可撓性によってもとの状態（伸びた状態）に復帰しようとするが、伸縮部８２３における内周面８２０Ｂと凹部８３３における外周面８３０Ａとの接触範囲に生じる摩擦力により、伸縮部８２３の復帰が妨げられる。これにより、伸縮部８２３によって保持体８３０が把持された状態となり、摺動後の筒体８２０が第２の位置において停止される。勿論、このような摩擦力と伸縮部の座屈とを併用して、筒体を第２の位置において停止させる構成としてもよい。
【００４９】
上記実施例では、筒体２０に設けられた伸縮部２３の伸縮によって、筒体２０（被覆部２２）の保持体３０に沿った摺動を実現したが、このような摺動を、筒体２０に伸縮部２３を設けることなく実現してもよい。こうした構成例を第３変形例として図７に示した。図７（Ａ），図７（Ｂ）は、それぞれ、図２，図３に対応する断面を表わしており、図７（Ｃ）は、図７（Ｂ）に示す容器２１０を７Ｃ−７Ｃ線に沿って切断したときの矢視端面形状を表わしている。なお、図７（Ｃ）では、説明の便宜上、保持体２３０を仮想線を用いて表わしている。
【００５０】
第３変形例としての容器２１０は、保持体２３０が、その両端部である先端部２３１と後端部２３５との間に、ほぼ同じ外径で形成された胴部２３２を備え、この胴部２３２における外周面２３０Ａに溝部２３７ａ，２３７ｂ，２３９ａ，２３９ｂが形成される点、筒体２２０の内周面２２０Ｂに爪部２２７ａ，２２７ｂ，２２９ａ，２２９ｂを備える点で、上記実施例と異なる。
【００５１】
図７（Ａ）に示すように、胴部２３２における外周面２３０Ａの後端部２３５寄りの位置には、２つの溝部２３９ａ，２３９ｂが、互いに対向する位置関係で設けられている。また、溝部２３９ａ，２３９の形成位置よりも先端部２３１寄りの胴部２３２における外周面２３０Ａには、２つの溝部２３７ａ，２３７ｂが、互いに対向する位置関係で設けられている。筒体２２０の内周面２２０Ｂには、先端部２２１寄りの位置に、２つの爪部２２７ａ，２２７ｂが互いに対向する位置関係で設けられており、後端部２２５寄りの位置に、２つの爪部２２９ａ，２２９ｂが互いに対向する位置関係で設けられている。爪部２２７ａ，２２７ｂと爪部２２９ａ，２２９ｂとの間隔は、溝部２３７ａ，２３７ｂと溝部２３９ａ，２３９との間隔と略同一とされている。これらの爪部２２７ａ，２２７ｂ，２２９ａ，２２９ｂおよび溝部２３７ａ，２３７ｂ，２３９ａ，２３９ｂの形状は曲面形状とされている。また、爪部２２７ａ，２２７ｂ，２２９ａ，２２９ｂは、合成樹脂製の筒体２２０と一体として形成されている。なお、爪部や溝部の数，形状，位置については、適宜変更することができる。
【００５２】
図７（Ａ）に示すように、筒体２２０は、溝部２３７ａ，２３７ｂ，２３９ａ，２３９ｂが形成されていない範囲の胴部２３２を、爪部２２７ａと爪部２２７ｂとの間および爪部２２９ａと爪部２２９ｂとの間で挟み込むことによって、保持体２３０に装着されている。この状態において、先端部２３１に保持された口紅２３８の表面を含む保持体２３０の外周面２３０Ａは筒体２２０の内周面２２０Ｂによって取り囲まれており、筒体２２０は、筒体２２０内に口紅２３８が収納される第１の位置にある。筒体２２０が第１の位置にあるときには、筒体２２０の内周面２２０Ｂは、口紅２３８の表面と、所定の間隔Ｃ２をおいて対向している。
【００５３】
図７（Ａ）に示す容器２１０において、筒体２２０の全体を、保持体２３０に沿って、図７（Ａ）に示す白抜きの矢印方向に摺動させると、図７（Ｂ）に示すように、爪部２２７ａ，２２７ｂ，２２９ａ，２２９ｂが溝部２３７ａ，２３７ｂ，２３９ａ，２３９ｂに嵌まり込み、筒体２２０が保持体２３０に係止された状態となる。これにより、筒体２２０は、筒体２２０外に口紅２３８が露出される第２の位置において固定される。また、筒体２２０が第１の位置から第２の位置に摺動することにより、筒体２２０は、保持体２３０の後端部２３５よりも摺動方向側に長さＮだけ突出する。
【００５４】
筒体２２０が第２の位置において固定された状態から、筒体２２０の全体を、保持体２３０に沿って、図７（Ｂ）に示す白抜きの矢印方向に摺動させると、曲面形状の爪部２２７ａ，２２７ｂ，２２９ａ，２２９ｂは、溝部２３７ａ，２３７ｂ，２３９ａ，２３９ｂの曲面に沿ってスムーズに溝部２３７ａ，２３７ｂ，２３９ａ，２３９ｂから外れる。これにより、筒体２２０を第２の位置から第１の位置に戻すことができる。
【００５５】
以上のように構成された第３変形例の容器２１０によれば、上記実施例において列記した（イ）〜（ニ）と同様の作用効果を奏する。加えて、第２変形例の容器２１０では、第２の位置において、筒体２２０が保持体２３０に係止されるので、口紅２３８が筒体２２０外に露出される状態をより確実に維持することができる。例えば、口紅２３８を唇に塗っている最中に口紅２３８が筒体２２０内に引っ込んでしまうといった事態を、十全に防止することができる。また、第２の位置において、筒体２２０は、保持体２３０の後端部２３５よりも突出するので、使用時における容器２１０の全長が非使用時よりも長くなる。従って、口紅収納容器の持ち易さや口紅の塗り易さをより向上することができる。
【００５６】
なお、第３変形例において、筒体２２０の後端部２２５側の長さを短くし、筒体２２０が、第２の位置において、保持体２３０の後端部２２５よりも突出しない構成としてもよい。こうすれば、筒体２２０の長さが短いので、筒体２２０の成形時に用いる材料（樹脂）が少なくてすみ、製造コストを低減することができる。
【００５７】
上記実施例ないし変形例では、保持体３０の先端部３１に絞り部３１Ａを形成したが、こうした絞り部３１Ａ以外の形状によって、保持体３０からの口紅３８の脱落を防止することも可能である。この一例を第４変形例として図８に示した。この図８は、第４変形例としての保持体４３０の先端部４３１周辺の概略断面形状を示しており、図８（Ａ），図８（Ｂ）は、それぞれ、口紅４３８の付着前，付着後の様子を表わしている。図８（Ａ）に示すように、先端部４３１の表面には多数の突起４３１Ｂが形成されている。このような先端部４３１に、既述した付着装置８０を用いて口紅材料が付着されると、口紅材料は、突起４３１Ｂ間の凹所に入り込み、その状態で硬化する。これにより、図８（Ｂ）に示すように、口紅４３８が保持体４３０の先端部４３１に保持される。このような第４変形例によれば、口紅４３８が先端部４３１からの剥離が多数の突起４３１Ｂによって妨げられるので、保持体４３０からの口紅４３８の脱落を防止することができる。
【００５８】
また、上記実施例ないし変形例において、保持体３０の先端部３１に、絞り部３１Ａや突起４３１Ｂを形成しない構成を採用してもよい。この一例を第５変形例として図９に示した。この図９は、第５変形例としての保持体５３０の先端部５３１周辺の概略断面形状を示しており、図９（Ａ），図９（Ｂ）は、それぞれ、口紅５３８の付着前，付着後の様子を表わしている。図示するように、第５変形例としての保持体５３０では、先端部５３１の表面が、凹凸のない円滑な面とされている。
【００５９】
なお、図９（Ａ）に示す先端部５３１では、長さＨが約７ｍｍ、最も第１胴部５３２寄りに位置する底部の直径Ｄが４．０〜４．５ｍｍ、傾斜角Θ１が３°〜４°、先端Ｒが２ｍｍのときに、より好適な塗り易さを実現できることが確認されている。
【００６０】
上記実施例ないし変形例において、筒体２０の被覆部２２を先端部２１に向かうにつれて拡径してもよい。こうした構成例を第６変形例として図１０に示した。この図１０は図２に対応する断面を表わしている。図示するように、第６変形例としての容器６１０が備える筒体６２０は、口紅６３８に対向する範囲における被覆部６２２が、先端部６２１に向かうにつれて次第に拡径されている。これにより、筒体６２０が第１の位置にあるときに、被覆部６２２における内周面６２０Ｂは、口紅６３８の表面と、間隔Ｃ３（上記実施例での間隔Ｃ１よりも大きな値）をおいて対向している。なお、筒体６２０の基部６２４，後端部６２５における内周面６２０Ｂには、それぞれ、リブ６２４ｒ，リブ６２５ｒが形成されている。保持体６３０から筒体６２０を抜こうとすると、凹部６３３に嵌まり込んだリブ６２４ｒもしくはリブ６２５ｒが第２胴部６３４もしくは後端部６３５に干渉する。これにより、筒体６２０は、保持体６３０から離脱できないように構成されている。こうした第６変形例の容器６１０によれば、容器の使用中における口紅６３８と被覆部６２２の干渉をより一層抑制することが可能となり、被覆部６２２における内周面６２０Ｂへの口紅６３８の付着を十全に防止することができる。
【００６１】
上記実施例ないし変形例において、保持体３０の後端部３５を、先端部３１と同様の形状とし、先端部３１と後端部３５の双方に口紅３８を保持する構成を採ってもよい。こうした構成例を第７変形例として図１１に示した。この図１１は図２に対応する断面を表わしている。図示するように、第７変形例としての容器７１０では、保持体７３０の先端部７３１，後端部７３５が、滑らかに尖った形状（それぞれ、第１胴部７３２，第２胴部７３４に近づくに連れて徐々に拡径された形状）とされており、この先端部７３１，後端部７３５に、それぞれ、口紅７３８ａ，口紅７３８ｂが保持されている。この容器７１０では、筒体７２０の保持体７３０への装着は、筒体７２０の被覆部７２２，基部７２４における内周面７２０Ｂが保持体の第１胴部７３２，第２胴部７３４における外周面７３０Ａに緩やかに重合することによって実現されている。なお、筒体７２０の被覆部７２２，基部７２４における内周面７２０Ｂには、それぞれ、リブ７２２ｒ，リブ７２４ｒが形成されている。保持体７３０から筒体７２０を抜こうとすると、凹部７３３に嵌まり込んだリブ７２２ｒもしくはリブ７２４ｒが第１胴部７３２もしくは第２胴部７３４に干渉する。これにより、筒体７２０は、保持体７３０から離脱できないように構成されている。
【００６２】
図１１では、筒体７２０は、その伸縮部７２３が最も伸びた状態で、保持体７３０に装着されている。この状態において、先端部７３１に保持された口紅７３８ａの表面および後端部７３５に保持された口紅７３８ｂの表面を含む保持体７３０の外周面７３０Ａは、筒体７２０の内周面７２０Ｂによって取り囲まれており、口紅７３８ａおよび口紅７３８ｂが筒体７２０内に収納されている。こうした筒体７２０内に口紅７３８ａおよび口紅７３８ｂが収納されるときの筒体７２０の位置のことを、以下、収納位置という。
【００６３】
図１１に示す容器７１０において、筒体７２０の被覆部７２２を、保持体７３０に沿って、図１１に示す白抜きの矢印方向に摺動させると、筒体７２０の伸縮部７２３が縮んだ状態となり、筒体７２０外に口紅７３８ａが露出される。こうした筒体７２０外に口紅７３８ａが露出されるときの筒体７２０の位置のことを、以下、第１露出位置という。また、図１１に示す容器７１０において、筒体７２０の基部７２４を、保持体７３０に沿って、図１１に示す黒色の太矢印方向に摺動させると、筒体７２０の伸縮部７２３が縮んだ状態となり、筒体７２０外に口紅７３８ｂが露出される。こうした筒体７２０外に口紅７３８ｂが露出されるときの筒体７２０の位置のことを、以下、第２露出位置という。この後、筒体７２０の被覆部７２２や基部７２４を、保持体７３０に沿って、上記と逆方向に摺動させれば、筒体７２０を、第１露出位置，第２露出位置から収納位置に戻すことができる。
【００６４】
このような第７変形例としての容器７１０によれば、筒体７２０の位置を、収納位置から第１露出位置または第２露出位置に変えて、２つの口紅７３８ａ，７３８ｂを使用することが可能となり、容器の活用範囲を拡大することができる。例えば、２つの口紅７３８ａ，７３８ｂを互いに異なる色とした場合には、唇への着色を、１の容器を用いて２通りに行なうことができる。
【００６５】
以上、本発明の実施の形態を実施例，変形例に基づいて説明したが、本発明はこうした実施例等に何等限定されるものではなく、本発明の要旨を逸脱しない範囲内において種々なる様態で実施し得ることは勿論である。例えば、上記実施例ないし上記変形例を適宜組み合わせて実施しても差し支えない。
【００６６】
上記実施例ないし変形例において、筒体２０，...，７２０が第１の位置や収納位置にあるときに、筒体２０，...，７２０の先端部２１，...，７２１や筒体７２０の後端部７２５を覆うカバーを設けてもよい。こうした蓋を設ける形態としては、密閉性のフィルムやシールを先端部２１，...，７２１や後端部７２５に接着する構成等を考えることができる。こうすれば、容器１０，...，７１０を単体で取り扱う場合に、口紅３８，...，７３８ｂへの塵埃等の付着を防止することができる。
【００６７】
上記実施例ないし変形例では、容器内に、唇の表面に塗る口紅を収納したが、口紅に替えてリップクリームを収納しても差し支えない。また、唇以外の人体に接触される他の材料を容器内に収納してもよい。こうした材料としては、例えば、眉に塗られる眉墨，まつ毛の際に引かれるアイライン，爪に塗られるマニキュア等の化粧料や塗布後の化粧料を消去するための消去材料、患部に塗られる塗り薬などを考えることができる。このほか、各種用紙に線画を描くための筆記材料（クレヨン，鉛筆，シャープペンシル，鉛筆やシャープペンシルの芯等）や描かれた筆記材料を消去するための消去材料（例えば、消しゴム），糊等の接着材料を容器内に収納してもよく、飴等の食料を保持体３０の先端部３１に保持して容器内に収納してもよい。これらの容器内に収納され得る材料は、固体のみならず、液体であっても差し支えない。例えば、液体としての化粧料やその消去材料，接着材料，薬剤を吸収した脱脂綿を容器内に収納してもよい。
【００６８】
また、図１２に示すように、保持体９３０の先端部９３１に凹部９３１Ｃを形成し、この凹部９３１Ｃに、化粧料やその消去材料，薬剤，食料，筆記材料やその消去材料（図１２では、消しゴム９３８Ａを例として示している），糊等の接着材料を、嵌合等の手法によって保持する構成としてもよい。なお、図１２に示した凹部９３１Ｃの形状は、保持される材料の種類に応じて適宜変更することができる。
【図面の簡単な説明】
【００６９】
【図１】本実施例の容器１０の概略構成を示す説明図である。
【図２】図１に示す容器１０を２−２線に沿って切断したときの矢視断面形状を示す説明図である。
【図３】筒体２０の伸縮部２３を縮ませたときの様子を示す説明図である。
【図４】容器１０の製造過程を示す説明図である。
【図５】第１変形例を示す説明図である。
【図６】第２変形例を示す説明図である。
【図７】第３変形例を示す説明図である。
【図８】第４変形例を示す説明図である。
【図９】第５変形例を示す説明図である。
【図１０】第６変形例を示す説明図である。
【図１１】第７変形例を示す説明図である。
【図１２】他の変形例を示す説明図である。
【符号の説明】
【００７０】
１０，１１０，２１０，４１０，６１０，７１０，８１０...容器
１２...容器本体
２０，１２０，２２０，６２０，７２０，８２０...筒体
２０Ｂ，１２０Ｂ、２２０Ｂ，６２０Ｂ，７２０Ｂ，８２０Ｂ...内周面
２１，１２１，２２１，６２１，８２１...先端部
２１ｒ，１２１ｒ，８２１ｒ...リブ
２２，１２２，６２２，７２２，８２２...被覆部
２３，１２３，７２３，８２３...伸縮部
２４，１２４，７２４，８２４...基部
２５，１２５，２２５，７２５，８２５...後端部
２５ｒ，１２５ｒ，６２５ｒ，８２５ｒ...リブ
３０，１３０，２３０，４３０，５３０，６３０，７３０，８３０，９３０...保持体
３０Ａ，１３０Ａ，２３０Ａ，６３０Ａ，７３０Ａ，８３０Ａ...外周面
３１，１３１，２３１，４３１，５３１，６３１，７３１，８３１，９３１...先端部
３１Ａ...絞り部
３２，１３２，４３２，５３２，７３２，８３２，９３２...第１胴部
３３...凹部
３４，７３４，８３４...第２胴部
３５，１３５，２３５，６３５，７３５...後端部
３６...リブ
３８，１３８，２３８，４３８，５３８，６３８，７３８ａ，７３８ｂ...口紅
８０...付着装置
８１...台
８５...プレート
８７...エアシリンダ
１３２，２３２...胴部
２２７ａ，２２７ｂ，２２９ａ，２２９ｂ...爪部
２３７ａ，２３７ｂ，２３９ａ，２３９ｂ...溝部
４３１Ｂ...突起
６２４ｒ，７２４ｒ...リブ
７２２ｒ...リブ
９３１Ｃ...凹部
９３８Ｃ...消しゴム
【図１】
2005066137.tif 000003
【図２】
2005066137.tif 000004
【図３】
2005066137.tif 000005
【図４】
2005066137.tif 000006
【図５】
2005066137.tif 000007
【図６】
2005066137.tif 000008
【図７】
2005066137.tif 000009
【図８】
2005066137.tif 000010
【図９】
2005066137.tif 000011
【図１０】
2005066137.tif 000012
【図１１】
2005066137.tif 000013
【図１２】
2005066137.tif 000014